(57)【要約】【課題】  所定のキーを所持する者は容易に装飾部材等の取り外しが行え、かつそれ以外の者は装飾部材等の取り外しが行えないようにする。【解決手段】  ランプカバー９の背面側にフック３１と施錠装置３２とを設け、上扉３には、フック３１が挿通可能な係合孔２２と、施錠装置３２のキーシリンダ３５が挿通可能な貫通孔２３とを設ける構造とし、ランプカバー９の上扉３への固定をキー３８の操作によって行うこととした。したがって、ランプカバー９の着脱が容易に行えるようになり、ランプカバー９の着脱作業の効率性を向上させることが可能になる。また、キー３８の所持者以外はランプカバーを取り外せないようにすることができ、ランプカバー９内のランプを不正目的に悪用されないようにすることが可能になる。【選択図】        図８
2006217959.tif 000002
【特許請求の範囲】
【請求項１】
前面扉の前面側に装飾部材が露呈するように取り付けられた遊技機において、
前記装飾部材と前記前面扉のいずれか一方には、その他方に設けられた被係合部と係合可能なロック部材を有する施錠装置を備え、
前記施錠装置をキーの操作で解錠することにより、前記被係合部と前記ロック部材とが係合される施錠位置から前記被係合部と前記ロック部材との係合を解除する解除位置に前記ロック部材を移動させて、前記装飾部材を前記前面扉から取り外しできるようにしたことを特徴とする遊技機。
【請求項２】
前記施錠装置に設けられ、前記キーが挿入されるキー挿入孔が前記前面扉の背面側に露呈していることを特徴とする請求項１記載の遊技機。
【請求項３】
前記前面扉には貫通孔が形成され、前記貫通孔を貫通して前記前面扉の背面側に突出した前記装飾部材の一部に、前記被係合部が設けられていることを特徴とする請求項１又は２記載の遊技機。
【請求項４】
前記装飾部材は、前記前面扉への取り付け時に前記貫通孔を挿通した後に前記前面扉の背面に係合するフックが一体成形されており、
前記フックと前記前面扉との係合によって、前記装飾部材は前記前面扉に仮止めされ、
前記施錠装置を前記キーの操作で施錠することにより、前記解除位置から前記施錠位置に前記ロック部材を移動させて、仮止めされた装飾部材を前記前面扉に固定することを特徴とする請求項３記載の遊技機。
【発明の詳細な説明】
【技術分野】
【０００１】
本発明は、パチンコ店等の遊技場において使用されるスロットマシン等の遊技機に関し、更に詳しくは、遊技機に取り付けられるカバーや装飾部材等の取り付け構造に関するものである。
【背景技術】
【０００２】
スロットマシン等をはじめとする遊技機には、前面が開口する収納箱に対して前面扉が開閉自在に設けられている。前面扉には、スロットマシンの機種情報等の文字や図柄等を表示した装飾部材、遊技者の興趣を高める演出を行う際等に使用されるランプ及びスピーカー等が設けられている。また、前面扉には、これらのランプやスピーカーを覆うように、ランプカバー及びスピーカーカバーが取り付けられている。
【０００３】
これらの装飾部材及びカバーにはフックが設けられ、前面扉には、フックの挿通が可能であって前面扉の前面側から背面側に貫通した貫通孔が設けられている。装飾部材等の前面扉への取り付けは、フックを貫通孔に挿通させることにより行われる。すなわち、フックを貫通孔に挿通させると、貫通孔の途中でフックと貫通孔の底面とが接する位置がある。この位置からさらにフックを挿通させていくと、フックは貫通孔の底面に圧接されて、弾性変形を伴いながら挿通される。フックが前面扉の背面に達すると、フックに対する底面からの圧接が解消される。この圧接の解消によって、フックが弾性変形した状態から元の状態へ復帰し、フックと前面扉の背面とが係合する。このフックと前面扉の背面との係合によって装飾部材の引き抜き方向への移動が規制され、装飾部材が前面扉に固定される。
【特許文献１】特開２００４−１６７０１２号公報
【発明の開示】
【発明が解決しようとする課題】
【０００４】
しかしながら、このように固定された装飾部材等を取り外す場合には、フックを弾性変形させて、フックと前面扉の背面との係合を解除し、その状態を維持しながら装飾部材等を前方に引き出さなければならない。通常は、一つの装飾部材に対して複数個のフックが設けられているため、装飾部材を取り外すためには、複数個所におけるフックと前面扉との係合を解除しなければならない。このため、装飾部材等を取り外す手間がかかり、作業の効率化が図れないという問題がある。特に、遊技場に新しいスロットマシンを導入する場合には多量の装飾部材等の取り外しが必要となるため、上記の問題は深刻なものとなる。
【０００５】
このような問題を解決するためには、装飾部材等を前面扉から容易に取り外せる構造にしておくことが考えられる。しかし、このような構造にすると、一般の遊技者に装飾部材等を取り外され、不正改造その他の不正な目的に悪用されるおそれがある。一般に、遊技機の部品の交換は、例えば遊技機メーカーの社員等のみが行え、それ以外の者が遊技機の部品を交換することは望ましくない。したがって、遊技機メーカーの社員等以外の者が遊技機の部品の取り外しを行える構造にすることは、遊技機を管理する上で問題が生じるおそれがある。
【０００６】
本発明は上記の問題点に鑑みてなされたもので、その目的は、遊技機メーカーの社員等は容易に取り外しが行え、且つそれ以外の者は取り外しが行えない機構を有する装飾部材を備えた遊技機を提供することにある。
【課題を解決するための手段】
【０００７】
上記課題を解決するに当たり、本発明は、前面扉の前面側に装飾部材が露呈するように取り付けられた遊技機において、前記装飾部材と前記前面扉のいずれか一方には、その他方に設けられた被係合部と係合可能なロック部材を有する施錠装置を備え、前記施錠装置をキーの操作で解錠することにより、前記被係合部と前記ロック部材とが係合される施錠位置から前記被係合部と前記ロック部材との係合を解除する解除位置に前記ロック部材を移動させて、前記装飾部材を前記前面扉から取り外しできるようにしたことを特徴とする。
【０００８】
なお、本発明は、前記施錠装置に設けられ、前記キーが挿入されるキー挿入孔が前記前面扉の背面側に露呈していることが好ましい。
【０００９】
また、前記前面扉には貫通孔が形成され、前記貫通孔を貫通して前記前面扉の背面側に突出した前記装飾部材の一部に、前記被係合部が設けられていることが好ましい。
【００１０】
また、前記装飾部材は、前記前面扉への取り付け時に前記貫通孔を挿通した後に前記前面扉の背面に係合するフックが一体成形されており、前記フックと前記前面扉との係合によって、前記装飾部材は前記前面扉に仮止めされ、前記施錠装置を前記キーの操作で施錠することにより、前記解除位置から前記施錠位置に前記ロック部材を移動させて、仮止めされた装飾部材を前記前面扉に固定することが好ましい。
【発明の効果】
【００１１】
本発明によれば、前面扉の前面側に装飾部材が露呈するように取り付けられた遊技機において、前記装飾部材と前記前面扉のいずれか一方には、その他方に設けられた被係合部と係合可能なロック部材を有する施錠装置を備え、前記施錠装置をキーの操作で解錠することにより、前記被係合部と前記ロック部材とが係合される施錠位置から前記被係合部と前記ロック部材との係合を解除する解除位置に前記ロック部材を移動させて、前記装飾部材を前記前面扉から取り外しできるようにしたので、所定のキーを所持する者は、ロック部材を解除位置に移動させて装飾部材を容易に取り外すことが可能となる。一方、所定のキーを所持しない者が装飾部材を取り外せなくすることができるので、装飾部材が不正改造その他の不正な目的に悪用されることを防止することが可能となる。
【００１２】
また、前記施錠装置に設けられ、前記キーが挿入されるキー挿入孔を前記前面扉の背面側に露呈させるので、遊技者に施錠装置の位置を知られないようにすることが可能になるとともに、遊技者による施錠装置の破壊行為等を減少させることが可能になる。一方、キーを所持する遊技機メーカーの社員等が装飾部材を取り外す場合には、前面扉を開けた状態で施錠装置を解錠し、装飾部材を取り外すことができるので、装飾部材の着脱を容易に行うことができ、作業の効率化を図ることが可能になる。また、キー挿入孔が前面扉の背面側にあるので、装飾部材を取り外すためには前面扉を開ける必要がある一方、前面扉を開けると不正が発覚しやすいので、装飾部材に対する不正行為を抑制させることが可能になる。
【００１３】
また、前記前面扉には貫通孔が形成され、前記貫通孔を貫通して前記前面扉の背面側に突出した前記装飾部材の一部に、前記被係合部が設けられるので、ロック部材と被係合部との係合を容易に行うことが可能になるとともに、ロック部材と被係合部との係合を確実に行うことが可能となる。
【００１４】
また、前記装飾部材は、前記前面扉への取り付け時に前記貫通孔を挿通した後に前記前面扉の背面に係合するフックが一体成形されており、前記フックと前記前面扉との係合によって、前記装飾部材は前記前面扉に仮止めされ、前記施錠装置を前記キーの操作で施錠することにより、前記解除位置から前記施錠位置に前記ロック部材を移動させて、仮止めされた装飾部材を前記前面扉に固定するので、装飾部材の取り付け及び取り外し作業の効率化を図ることが可能になる。また、装飾部材が取り付けられた後においては、フックと前面扉の背面との係合によって装飾部材の取り付け状態を補強することが可能になる。
【発明を実施するための最良の形態】
【００１５】
本発明の第１の形態であるスロットマシンの構成を図１ないし図８に基づいて説明する。スロットマシン１は、前面が開口する収納箱２の前面に上扉３及び下扉４から構成される前面扉５がヒンジ等により取り付けられている。上扉３には、表示窓６、表示パネル７が設けられている。また、上扉３の上方には、スピーカーカバー８、ランプカバー９が取り付けられている。
【００１６】
表示窓６は、ガラス等の透光性を有する部材によって構成されており、収納箱３に収納された第１リール１０、第２リール１１及び第３リール１２の図柄を視認できるようになっている。ここで、第１〜第３リール１０〜１２の回転が停止している場合には、１リール当たり３個の図柄が表示窓６から視認可能となっている。そして、各リールの図柄を１個ずつ組み合わせた直線状の入賞有効ラインが横３本斜め２本の合計５本が設定されている。
【００１７】
表示パネル７は、例えば液晶パネル等から構成されており、遊技の状態に応じて演出画像等を表示させる。スピーカーカバー８は、樹脂性の部材によって形成されており、図示しないスピーカーの前面に着脱自在に取り付けられている。ランプカバー９の構造等については後述する。
【００１８】
下扉４には、メダル投入口１３、スタートレバー１４、第１ストップボタン１５、第２ストップボタン１６、第３ストップボタン１７、及び装飾パネル１８が設けられている。メダル投入口１３は、遊技を行う際にメダルを投入する投入口であって、下扉４の上方に設けられている。スタートレバー１４は、遊技の開始時に操作されるもので、スタートレバー１４が操作されると、第１〜第３リール１０〜１２が一斉に回転を開始する。
【００１９】
第１〜第３ストップボタン１５〜１７は、それぞれ第１〜第３リール１０〜１２の回転を停止させるためのボタンである。第１〜第３ストップボタン１５〜１７の操作は、第１〜第３リール１０〜１２の回転が開始してから一定時間経過後に有効化される。有効化された後に第１〜第３ストップボタン１５〜１７が押下されると、各ストップボタンに対応する第１〜第３リール１０〜１２が個別に停止される。また、装飾パネル１８は、スロットマシン１の機種等の文字や図柄等を表示する板状の部材であり、下扉４の前面に取り付けられている。
【００２０】
図２に示すように、上扉３には、ランプユニット２０を固定する取付座２１と、ランプカバー９を取り付ける係合孔２２及び貫通孔２３とが設けられている。取付座２１は、中央にネジ孔２４が設けられた板状の部材である。図２においては、上扉３には一対の取付座２１が互いに間隔を空けて左右方向に設けられており、ランプユニット２０が固定できるようになっている。係合孔２２は方形状をした開口であり、上扉３の前面側から背面側へ貫通するように形成されている。また、貫通孔２３は円の外方に矩形の切り欠きを設けた形状をしており、係合孔２２と同様に、上扉３の前面側から背面側へ貫通するように形成されている。図２においては、これらの係合孔２２及び貫通孔２３は、一対の取付座２１の間であって、かつ係合孔２２が貫通孔２３の上方に位置するように設けられている。また、貫通孔２３は、切り欠きが円の右側となるように開けられている。
【００２１】
ランプユニット２０は、３個のランプ２５と、これらのランプ２５を等間隔に固定するベース板２６とから構成されている。ベース板２６にはネジ２７が挿通する挿通孔２８が左右両端部に設けられている。このランプユニット２０は、ネジ２７を挿通孔２８に挿通させて、ネジ孔２４にネジ止めすることにより上扉３に取り付けられる。
【００２２】
図３に示すように、ランプカバー９は、樹脂性の部材によって形成された透光性を有する部材であって、その断面形状がコの字型になるように形成されている。このランプカバー９の背面側には、フック３１と施錠装置３２とが設けられている。フック３１は、ランプカバー９上方の中央部に形成されており、上扉３の背面と係合する係合面３３を備えている。このフック３１は係合孔２２を挿通することが可能である。
【００２３】
施錠装置３２は、ランプカバー９下方の中央部に設けられており、本体３４とキーシリンダ３５とから構成されている。本体３４は、ランプカバー９の内側の底面に形成されており、ランプカバー９の背面側には、キーシリンダ３５が挿入される図示しない穴が開けられている。キーシリンダ３５は、一端が本体３４の図示しない穴に挿入され、他端がランプカバー９の背面側へ突出するように設けられている。また、この他端にはキー挿入口（キー挿入孔）３６が、他端側の側面にはロック部材３７が設けられている。キーシリンダ３５は、キー挿入口３６にキー３８が挿入されていない場合にはその位置で固定される。一方、キー挿入口３６にキー３８が挿入されている場合には、図６に示すロック部材３７と上扉３の背面との係合が解除される解除位置と、図７に示すロック部材３７と上扉３の背面との係合が行われる施錠位置との間で回転することができる。なお、図３において符号３９（斜線部分）は、ロック部材３７と係合する被係合部である。
【００２４】
次に、ランプカバー９の取り付け方法について、図４ないし図８に基づいて説明する。図４において、ランプカバー９を上扉３に固定するためには、まず、フック３１を係合孔２２に、キーシリンダ３５を貫通孔２３に挿通させる。ここで、係合孔２２と貫通孔２３との高さ方向の間隔は、フック３１とキーシリンダ３５との高さ方向の間隔に対して若干広くなるように形成されている。したがって、フック３１を図４に示すＡ方向に挿通させていくと、ある位置においてフック３１の係合面３３の尖端と係合孔２２の底面とが接触する。この位置からさらにＡ方向にフック３１を挿通させると、フック３１の係合面３３の尖端は係合孔２２の底面に圧接される。このため、フック３１を係合孔２２に挿通させると、フック３１は圧接を伴いながら係合孔２２内をＡ方向に移動する。そして、フック３１の先端部が上扉３の背面に達すると、係合孔２２とフック３１との圧接が解消され、フック３１の係合面３３の尖端は初期位置に復帰する。これにより、フック３１の係合面３３と上扉３の背面とが係合し、ランプカバーと上扉３との位置関係は図５に示す仮止めの状態になる。
【００２５】
次に、図５に示すようにキー挿入口３６へキー３８を挿入する。そして、キー３８を操作して、キーシリンダ３５を図６に示すＢ方向へ回転させる。このようにキーシリンダ３５を回転させると、図７に示すように、解除位置にあったロック部材３７は施錠位置に移動する。図８に示すように、ロック部材３７が施錠位置にある場合には、ロック部材３７と上扉３の被係合部３９とが係合する。ここで、キー挿入口３６からキー３８を引き抜くと、ロック部材３７が施錠位置にある状態でキーシリンダ３５がロックされる。このとき、ランプカバー９の上部では、上扉３の背面側と係合面３３とが係合している。したがって、これらの係合によって、上扉３に対するランプカバー９の引き抜き方向への移動が規制され、ランプカバー９は上扉３に固定される。
【００２６】
なお、ランプカバー９を上扉３から取り外す場合には、以下の手順によって行えばよい。すなわち、ロック部材３７と被係合部３９とが係合している場合において、まずキー挿入口３６へキー３８を挿入する。そして、キー３８を操作してキーシリンダ３５を前述のＢ方向と反対方向に回転させる。このようにキーシリンダ３５を回転させると、ロック部材３７は施錠位置から解除位置まで移動する。ロック部材３７を解除位置に位置づけた状態でキー挿入口３６からキー３８を引き抜くと、キーシリンダ３５はロック部材３７が解除位置にある状態でロックされる。
【００２７】
次に、フック３１に上向きの力を加えて弾性変形させて、フック３１と上扉３の背面との係合を解除させる。そして、フック３１の係合面３３の尖端が係合孔２２の底面によって圧接された状態にする。この状態でランプカバー９を上扉３の前方へ引き抜くことにより、ランプカバー９を上扉３から取り外すことができる。
【００２８】
次に、本発明の第２の形態のスロットマシンの構造を図９及び図１０に基づいて説明する。なお、本発明の第１の形態のスロットマシン１と同一の構成の部分については説明を省略し、符号も同一のものを使用する。
【００２９】
図９に示すように、上扉３には、ランプユニット２０を固定する取付座２１と、ランプカバー４１が取り付けられる係合孔４２及び貫通孔４３とが設けられている。取付座２１は、中央にネジ孔２４が設けられた板状の部材である。図９においては、上扉３には一対の取付座２１が左右方向に設けられており、ランプユニット２０が固定できるようになっている。係合孔４２は方形状をしており、上扉３の前面側から背面側へ貫通するように形成されている。また、貫通孔４３は円形状をしており、係合孔４２と同様に、上扉３の前面側から背面側へ貫通するように形成されている。図９においては、これらの係合孔４２及び貫通孔４３は、取付座２１と取付座２１との間に位置し、かつ係合孔４２が貫通孔４３の上方に位置するように設けられている。
【００３０】
図１０に示すように、上扉３の背面側には施錠装置４４が設けられている。施錠装置４４は、貫通孔４３の直上において、上扉３に設けられた図示しない穴にキーシリンダ４５の一端が挿入されて構成されている。キーシリンダ４５の他端にはキー挿入口（キー挿入孔）４６が、他端側の側面にはロック部材４７が設けられている。ここで、キーシリンダ４５は、キー挿入口４６にキー４８が挿入されていない場合にはその位置で固定される。一方、キー挿入口４６にキー４８が挿入されている場合には、ロック部材４７と後述する係合溝５４との係合が行われる施錠位置と、ロック部材４７と係合溝５４との係合が解除される解除位置との間でキーシリンダ４５を回転させることができる。
【００３１】
ランプカバー４１は、樹脂性の部材によって形成された透光性を有する部材であって、その断面形状がコの字型になるように形成されている。図１０に示すように、このランプカバー４１の背面側には、フック４９と係合部５０とが設けられている。フック４９は、ランプカバー４１上方の中央部に形成されており、上扉３の背面と係合する係合面３３を備えている。このフック４９は係合孔４２へ挿通することができる。
【００３２】
係合部５０は、ランプカバー４１下方の中央部に設けられており、本体５２と係合部材５３とから構成されている。本体５２はランプカバー４１の内側の底面に形成されており、ランプカバー４１の背面側には、係合部材５３が挿入される図示しない穴が開けられている。係合部材５３は、一端が本体５２の穴に挿入され、他端がランプカバー４１の背面側へ突出するように設けられており、この他端が貫通孔４３に挿通される。また、この他端側の側面には、上方が開口するように係合溝５４が設けられている。
【００３３】
次に、ランプカバー４１の取り付け方法について、図１１ないし図１５に基づいて説明する。図１１において、ランプカバー４１を上扉３に固定するためには、まず、フック４９を係合孔４２に、係合部材５３を貫通孔４３に挿通させる。ここで、係合孔４２と貫通孔４３との高さ方向の間隔は、フック４９とキーシリンダ４５との高さ方向の間隔に対して若干広くなるように形成されている。したがって、フック４９を図１１に示すＣ方向に挿通させていくと、フック４９の係合面３３の尖端と係合孔４２の底面とが接触する位置がある。この位置からさらにＣ方向へフック４９の位置を移動させると、フック４９は係合孔４２の底面に圧接される。このため、フック４９を係合孔４２に挿通させると、フック４９の係合面３３の尖端は圧接されながら係合孔４２内をＣ方向に移動する。そして、フック４９が上扉３の背面に達すると、係合孔４２とフック４９の係合面３３の尖端との圧接が解消され、フック４９の係合面３３の尖端は初期位置に復帰する。これにより、フック４９の係合面３３と上扉３の背面とが係合し、ランプカバー４１と上扉３との位置関係は図１２に示す仮止めの状態になる。
【００３４】
次に、図１２に示すようにキー挿入口４６へキー４８を挿入する。そして、キー４８を操作して、キーシリンダ４５を図１３に示すＤ方向へ回転させる。このようにキーシリンダ４５を回転させると、図１４に示すように、解除位置にあったロック部材４７は施錠位置に移動する。図１５に示すように、ロック部材４７が施錠位置にある場合には、ロック部材４７と係合部材５３の被係合部５５とが係合する。ここで、キー挿入口４６からキー４８を引き抜くと、ロック部材４７が施錠位置にある状態でキーシリンダ４５がロックされる。このとき、ランプカバー４１の上部は、上扉３の背面側と係合面３３とが係合している。したがって、これらの係合によって、上扉３に対するランプカバー４１の引き抜き方向への移動が規制され、ランプカバー４１は上扉３に固定される。
【００３５】
なお、ランプカバー４１を上扉３から取り外す場合には、以下の手順によって行えばよい。すなわち、ロック部材４７と被係合部５５とが係合している場合において、まずキー挿入口４６へキー４８を挿入する。そして、キー４８を操作してキーシリンダ４５を前述のＤ方向と反対方向に回転させる。このようにキーシリンダ４５を回転させると、ロック部材４７は施錠位置から解除位置まで移動する。ロック部材４７を解除位置に位置づけた状態でキー挿入口４６からキー４８を引き抜くと、キーシリンダ４５はロック部材４７が解除位置にある状態でロックされる。
【００３６】
次に、フック４９に上向きの力を加えて弾性変形させて、フック４９と上扉３の背面との係合を解除させる。そして、フック４９の係合面３３の尖端が係合孔４２の底面によって圧接された状態にする。この状態でランプカバー４１を上扉３の前方へ引き抜くことにより、ランプカバー４１を上扉３から取り外すことができる。
【００３７】
本実施形態のスロットマシンによれば、ランプカバーの固定及び取り外しをキーの操作によって行っているので、ランプカバーの固定及び取り外しの際の手間を減らすことが可能になる。したがって、例えば、遊技店に設置されているスロットマシンのランプカバーを一斉に交換する場合には、交換作業の効率化を図ることが可能になる。
【００３８】
また、所定のキーを所持する者のみがランプカバーの着脱を行えるようにすることが可能になる。したがって、例えば、ランプカバーを使用して遊技者が不正行為を行うことを防止することが可能になる。
【００３９】
また、キー挿入口は、上扉の背面側に露呈するように設けられている。このため、キー挿入口は、通常は遊技者が視認できない位置に設けられている。したがって、遊技者はキー挿入口の位置が確認できないため、キーを破壊して不正行為を行ったりすることを防ぐことが可能になる。
【００４０】
なお、本実施形態では、一例として上扉に取り付けられたランプカバーの取り付けにキーを用いる場合を説明したが、本発明はこれに限られるものではなく、遊技機に設けられている他の装飾部材やパネル等にも適用することが可能である。
【００４１】
また、本実施形態では、フックと施錠装置とにより上扉に固定する方法を説明したが、本発明はこれに限定されるものではなく、例えば、施錠装置のみによってランプカバーを上扉に固定するものであってもよい。
【００４２】
また、本実施の形態では、スロットマシンに適用した例を説明したが、本発明はこれに限定されるものではなく、例えばパチンコ機のような他の遊技機にも適用することが可能である。
【図面の簡単な説明】
【００４３】
【図１】本発明の第１の形態であるスロットマシンを表わした外観斜視図である。
【図２】スロットマシンの装飾部材の取り付け構造を表わした斜視図である。
【図３】ランプカバーの構造を表わした外観斜視図である。
【図４】ランプカバーの取り付け方法を表わした縦断面図である。
【図５】ランプカバーの取り付け方法を表わした縦断面図である。
【図６】解除位置にあるロック部材及びキーの位置関係を表わした部分拡大図である。
【図７】施錠位置にあるロック部材及びキーの位置関係を表わした部分拡大図である。
【図８】ランプカバーの取り付け方法を表わした縦断面図である。
【図９】本発明の第２の形態であるスロットマシンの装飾部材の取り付け構造を表わした斜視図である。
【図１０】ランプカバーの構造を表わした外観斜視図である。
【図１１】ランプカバーの取付方法を表わした縦断面図である。
【図１２】ランプカバーの取付方法を表わした縦断面図である。
【図１３】解除位置にあるロック部材及び置関係を表わした部分拡大図である。
【図１４】施錠位置にあるロック部材及びキーの位置関係を表わした部分拡大図である。
【図１５】ランプカバーの取付方法を表わした縦断面図である。
【符号の説明】
【００４４】
１  スロットマシン（遊技機）
５  前面扉
９，４１  ランプカバー（装飾部材）
２３，４３  貫通孔
３１，４９  フック
３２，４４  施錠装置
３５，４５  キーシリンダ
３６，４６  キー挿入口（キー挿入孔）
３７，４７  ロック部材
３８，４８  キー
３９，５５  被係合部
【図１】
2006217959.tif 000003
【図２】
2006217959.tif 000004
【図３】
2006217959.tif 000005
【図４】
2006217959.tif 000006
【図５】
2006217959.tif 000007
【図６】
2006217959.tif 000008
【図７】
2006217959.tif 000009
【図８】
2006217959.tif 000010
【図９】
2006217959.tif 000011
【図１０】
2006217959.tif 000012
【図１１】
2006217959.tif 000013
【図１２】
2006217959.tif 000014
【図１３】
2006217959.tif 000015
【図１４】
2006217959.tif 000016
【図１５】
2006217959.tif 000017